(57)【要約】【課題】放送帯域に応じたデータ放送の受信が可能なデータ放送受信装置を提供する。【解決手段】データ放送受信装置は、受信したデジタル放送波から映像及び音声データや字幕データなどのＰＥＳデータと選局情報、番組情報、データ放送などのセクションデータとを分離するデマックス（３０）と、デマックス（３０）によって分離された情報に基づいて、受信中のデータ放送が複数の階層でサービスグループ化されているか否かを判定するサービスグループ判定部（５０）と、サービスグループ判定部（５０）の判定結果に応じた方式で、デマックス（３０）によって分離されたデータ放送のデコード処理を行うデータ放送デコーダ（６０）とを備えている。【選択図】図１
2008148209.tif 000002
【特許請求の範囲】
【請求項１】
データ放送を受信する装置であって、
受信したデジタル放送波から映像及び音声データや字幕データなどのＰＥＳデータと選局情報、番組情報、データ放送などのセクションデータとを分離するデマックスと、
前記デマックスによって分離された情報に基づいて、受信中のデータ放送が複数の階層でサービスグループ化されているか否かを判定するサービスグループ判定部と、
前記サービスグループ判定部の判定結果に応じた方式で、前記デマックスによって分離されたデータ放送のデコード処理を行うデータ放送デコーダとを備えた
ことを特徴とするデータ放送受信装置。
【請求項２】
請求項１に記載のデータ放送受信装置において、
前記データ放送デコーダは、受信中のデータ放送の各階層でスタイルシートが伝送される場合、これら各スタイルシートを用いて各階層のデータ放送のデコード処理を行う
ことを特徴とするデータ放送受信装置。
【請求項３】
請求項１に記載のデータ放送受信装置において、
前記データ放送デコーダは、受信中のデータ放送のいずれか一つの階層のみでスタイルシートが伝送される場合、当該スタイルシートを用いて各階層のデータ放送のデコード処理を行う
ことを特徴とするデータ放送受信装置。
【発明の詳細な説明】
【技術分野】
【０００１】
本発明は、デジタル受信装置に関し、特に、階層伝送されるデータ放送の受信装置に関する。
【背景技術】
【０００２】
近年、地上波放送はアナログ方式からデジタル方式への移行が始まっている。デジタルテレビジョン放送はすでに本放送が開始されサービスエリアが拡大しつつある。また、デジタルラジオ放送も近日中に本放送を開始する予定である。
【０００３】
デジタルテレビジョン放送については、主に据置受信機をターゲットとした１２セグメントの帯域を使用した１２セグメント放送と、携帯受信機をターゲットとした１セグメントの帯域を使用した１セグメント放送とがある。一方、デジタルラジオ放送については、特に受信機ターゲットは指定されていないが、１セグメントの帯域を使用した１セグメント放送と、３セグメントの帯域を使用した３セグメント放送の２種類の放送が運用される予定である。
【０００４】
デジタルテレビジョン放送では、従来からある映像・音声サービスに加えてデータ放送サービスが提供される。データ放送は、放送や通信によって伝送されるモジュールをＣＳＳ（Cascading Style Sheets）と呼ばれるスタイルシートに従って配置してユーザーにコンテンツを提示するサービスである。デジタルテレビジョン放送では、１セグメント放送と１２セグメント放送とは互いに独立しているため、各セグメント放送で提供されるデータ放送サービスもまた互いに独立している（例えば、非特許文献１参照）。
【非特許文献１】羽鳥光俊監修、「１セグ放送教科書」、インプレス社、２００５年６月、第５章  １セグの運用規定、パート２：データ放送運用規定（Ｃプロファイル）、５．６  地上デジタル放送におけるデータ放送運用規定のプロファイル、５．１４  ＴＲ−Ｂ１４における１セグ放送の規定
【発明の開示】
【発明が解決しようとする課題】
【０００５】
デジタルラジオ放送では、１セグメント放送と３セグメント放送とを互いにオーバーラップさせて放送される予定である。これら放送がオーバーラップしているかどうかは、受信中の放送に含まれるＮＩＴ（Network Information Table）中のＴＳ（Transport Stream）情報記述子のサービスグループ情報ループを用いて判定することができる。また、デジタルラジオ放送でもデータ放送サービスが提供される予定である。現在、デジタルラジオ放送によるデータ放送について、デジタルテレビジョン放送と同様に１セグメント放送をベースとした方式とする方向で検討が進められている。しかし、デジタルテレビジョン放送では、上記のオーバーラップ状態での運用を想定していないため、１セグメント放送及び３セグメント放送のそれぞれで同じコンテンツが放送される可能性がある。これは帯域の無駄遣いであり、３セグメント放送の帯域を十分に活かしたデータ放送サービスの提供が望まれる。
【０００６】
上記問題に鑑み、本発明は、放送帯域に応じたデータ放送の受信が可能なデータ放送受信装置を提供することを課題とする。
【課題を解決するための手段】
【０００７】
上記課題を解決するために本発明が講じた手段は、データ放送受信装置として、受信したデジタル放送波から映像及び音声データや字幕データなどのＰＥＳデータと選局情報、番組情報、データ放送などのセクションデータとを分離するデマックスと、デマックスによって分離された情報に基づいて、受信中のデータ放送が複数の階層でサービスグループ化されているか否かを判定するサービスグループ判定部と、サービスグループ判定部の判定結果に応じた方式で、デマックスによって分離されたデータ放送のデコード処理を行うデータ放送デコーダとを備えたものとする。
【０００８】
好ましくは、データ放送デコーダは、受信中のデータ放送の各階層でスタイルシートが伝送される場合、これら各スタイルシートを用いて各階層のデータ放送のデコード処理を行うものとする。
【０００９】
また、好ましくは、データ放送デコーダは、受信中のデータ放送のいずれか一つの階層のみでスタイルシートが伝送される場合、当該スタイルシートを用いて各階層のデータ放送のデコード処理を行うものとする。
【発明の効果】
【００１０】
以上のように、本発明によれば、データ放送のオーバーラップ状況に応じてデコード方法を変更することができる。これにより、放送帯域に応じてデータ放送を受信することが可能となる。さらに、放送事業者にとっては１セグメント放送と３セグメント放送とをオーバーラップさせたデータ放送サービスの提供が可能となるため、帯域を有効活用することができる。
【発明を実施するための最良の形態】
【００１１】
以下、本発明を実施するための最良の形態について、図面を参照しながら説明する。図１は、本発明に係るデータ放送受信装置の一構成形態を示す。本装置は、デジタル放送波を受信するアンテナ１０、所望の放送チャンネルを選局するチューナ２０、ＴＳデータをデコードして、ＡＶデータや字幕データなどのＰＥＳデータと、選局情報、番組情報、データ放送などのセクションデータとを分離するデマックス３０、ＡＶデータをデコードするＡＶデコーダ４０、受信中のデータ放送が複数の階層でサービスグループ化されているか否かを判定するサービスグループ判定部５０、データ放送のデコード処理を行うデータ放送デコーダ６０、及びＡＶデコーダ４０及びデータ放送デコーダ６０のＡＶ出力をそれぞれ合成するＡＶ合成器７０とを備えている。
【００１２】
特に、サービスグループ判定部５０は、デマックス３０によって分離されたＮＩＴ中のＴＳ情報記述子のサービスグループ情報ループから、受信中のデータ放送がサービスグループを構成しているか否かを判定する。また、データ放送デコーダ６０は、当該判定結果に応じて方式で、デマックス３０によって分離されたデータ放送のデコード処理を行う。
【００１３】
上記構成のデータ放送受信装置によると、アンテナ１０及びチューナ２０で受信したデジタル放送はデマックス３０によってＡＶデータとデータ放送とに分離される。そして、ＡＶデータはＡＶデコーダ４０によって、データ放送はデータ放送デコーダ６０によってそれぞれデコードされ、ＡＶ合成器７０によって合成されたＡＶデータがユーザーに提供される。
【００１４】
次に、３セグメント放送のデータ放送について、ＣＳＳの伝送パターンのいくつかとそれに対応したデータ放送受信装置の動作について説明する。
【００１５】
図２は、１セグメント放送と３セグメント放送のそれぞれにＣＳＳが伝送される様子を模式的に表す。この場合、データ放送デコーダ６０は、１セグメント放送を受信している場合には１セグ用モジュールのみからデータ放送画面を構成する。一方、３セグメント放送を受信している場合には、３セグ用モジュール、及びサービスグループ判定部５０から通知された同じグループに属する１セグメント放送のモジュールを使用してデータ放送画面を構築する。これにより、受信すべき放送として、１セグメント放送と３セグメント放送とを容易に切り替えることが可能となる。
【００１６】
図３は、３セグメント放送にのみＣＳＳが伝送される様子の模式的に表す。この場合、３セグメント放送のデコード処理は図２の場合と同様である。一方、１セグメント放送のデコード処理については、１セグ用ＣＳＳが伝送されないため、データ放送デコーダ６０は、デフォルトで定義されているスタイルシートを使用する。これにより、受信すべき放送として、１セグメント放送と３セグメント放送とを容易に切り替えることが可能となる。また、１セグメント放送でＣＳＳを伝送しなくて済むため、帯域を有効に活用することができる。
【００１７】
図４は、１セグメント放送にのみＣＳＳが伝送される様子の模式的に表す。この場合、データ放送デコーダ６０は、３セグメント放送受信時には、サービスグループ判定部５０によって通知された同じグループに属する１セグメント放送のモジュールに含まれるＣＳＳとモジュールを使用して３セグメント放送のデコード処理を行う。一方、１セグメント放送を受信する場合には、データ放送デコーダ６０は、３セグ用ＣＳＳに含まれる１セグメント放送に関する部分を使用して１セグメント放送のデコード処理を行う。これにより、図２の場合よりも電場状況が悪くて１セグメント放送しか受信できない場合でも３セグメント放送の対応を準備することが可能となる。
【００１８】
なお、１セグメント放送と３セグメント放送の組み合わせ以外にサービスグループ内により多くの放送が存在する場合でも上記と同様の処理を行えばよい。例えば、図３では拡張したい放送だけＣＳＳを伝送すればよく、図４では共用されるＣＳＳを一つだけ伝送し、受信しないデータ放送のＥＳは無視するようにすればよい。
【産業上の利用可能性】
【００１９】
本発明に係るデータ放送受信装置は、放送帯域に応じてデータ放送を受信することができるため、据置型あるいは携帯型のデジタル放送受信機として有用である。
【図面の簡単な説明】
【００２０】
【図１】本発明に係るデータ放送受信装置の構成図を示す。
【図２】１セグメント放送と３セグメント放送のそれぞれにＣＳＳが伝送される様子の模式図である。
【図３】３セグメント放送にのみＣＳＳが伝送される様子の模式図である。
【図４】１セグメント放送にのみＣＳＳが伝送される様子の模式図である。
【符号の説明】
【００２１】
３０  デマックス
５０  サービスグループ判定部
６０  データ放送デコーダ
【図１】
2008148209.tif 000003
【図２】
2008148209.tif 000004
【図３】
2008148209.tif 000005
【図４】
2008148209.tif 000006